(57)【特許請求の範囲】
【請求項１】
１以上の電話端末と、前記電話端末と無線あるいは有線で接続され、前記電話端末を内線端末として管理する主装置とからなる電話システムであって、
前記主装置は、
着信に対する複数種の応答メッセージを格納保持する応答メッセージ記憶部と、
着信を検知したときに、発信電話番号を含む着信通知を前記電話端末に送信する手段と、
前記電話端末からの前記応答メッセージの指定情報の受信に応じて、前記発信者側との通話路を生成する生成手段と、
前記応答メッセージ記憶部から、前記電話端末から受信した前記応答メッセージの指定情報により指定された応答メッセージを前記応答メッセージ記憶部から読み出して、前記生成手段により生成された通話路を通じて発信者に送出する応答メッセージ送出手段と、
を備え、
前記電話端末は、
前記主装置からの着信通知を受信したときに、前記着信通知に含まれる発信電話番号に基づいて発信者を報知する報知手段と、
前記複数種の応答メッセージによる複数種の自動応答方法を含む複数通りの着信応答方法のうちの一つの着信応答方法を選択するための着信応答方法選択手段と、
前記着信応答方法選択手段により選択された着信応答方法が、前記複数種の応答メッセージによる複数種の自動応答方法の一つであるときに、前記選択された着信応答方法に対応する前記応答メッセージの指定情報を前記主装置に送信する指定情報送信手段と、
を備えることを特徴とする電話システム。
【請求項２】
１以上の電話端末と、前記電話端末のそれぞれの充電器と、前記電話端末と前記充電器を通じて無線あるいは有線で接続され、前記電話端末を内線端末として管理する主装置とからなる電話システムであって、
前記主装置は、
着信を検知したときに、発信電話番号を含む着信通知を前記充電器を介して前記電話端末に送信する手段と、
前記充電器から受信した着信応答に応じて、前記充電器と前記発信者側との通話路を生成する手段と、
を備え、
前記充電器は、
前記主装置との間での通信を行うための第１の通信手段と、
前記電話端末との間での通信を行うための第２の通信手段と、
前記第１の通信手段を通じて受信した前記発信電話番号を含む着信通知を前記第２の通信手段を通じて前記電話端末に送信する手段と、
着信に対する複数種の応答メッセージを格納保持する応答メッセージ記憶部と、
前記電話端末からの前記応答メッセージの指定情報の受信に応じて、前記第１の通信手段を通じて着信応答を前記主装置に通知する着信応答手段と、
前記応答メッセージ記憶部から、前記電話端末から受信した前記応答メッセージの指定情報により指定された応答メッセージを読み出して、前記生成された通話路を通じて発信者に送出する応答メッセージ送出手段と、
を備え、
前記電話端末は、
前記充電器を通じて着信通知を検知したときに、前記着信通知に含まれる発信電話番号に基づいて発信者を報知する報知手段と、
前記複数種の応答メッセージによる複数種の自動応答方法を含む複数通りの着信応答方法のうちの一つの着信応答方法を選択するための着信応答方法選択手段と、
前記着信応答方法選択手段により選択された着信応答方法が、前記複数種の応答メッセージによる複数種の自動応答方法の一つであるときに、前記選択された着信応答方法に対応する前記応答メッセージの指定情報を前記充電器に送信する手段と、
を備えることを特徴とする電話システム。
【請求項３】
少なくとも、前記着信応答方法選択手段と、前記着信応答手段と、前記応答メッセージ送出手段とは、着信先の電話端末が留守番電話モードであるときに動作する
ことを特徴とする請求項１または請求項２に記載の電話システム。
【請求項４】
前記主装置は、
電話番号と、当該電話番号を発信電話番号として使用する発信者を認識するための発信者認識情報との対応関係からなる電話帳データを記憶する電話帳データ記憶部と、
着信を検知したときに、発信電話番号により前記電話帳データ記憶部の前記電話帳データを検索して、前記発信電話番号に対応する発信者認識情報を着信先の電話端末に送信する手段と、
を備え、
前記電話端末の報知手段は、前記主装置から送られてくる前記発信電話番号に対応する発信者認識情報により発信者を報知する
ことを特徴とする請求項１〜３のいずれかに記載の電話システム。
【請求項５】
前記電話端末は、表示画面を備え、
前記電話端末の前記報知手段は、前記表示画面に少なくとも前記発信者認識情報に対応する表示情報を表示することにより、前記発信者を報知し、
前記電話端末の前記着信応答方法選択手段は、前記発信者認識情報に対応する表示情報と共に前記表示画面に表示された前記複数通りの着信応答方法の選択肢のうちのいずれかを選択する手段である
ことを特徴とする請求項４に記載の電話システム。
【請求項６】
前記主装置は、
電話番号と、当該電話番号を発信電話番号として使用する発信者を認識するための発信者認識情報との対応関係からなる電話帳データを記憶する電話帳データ記憶部と、
前記電話端末からの状態通知情報に基づいて、当該電話端末を留守番モードに設定管理する手段と、
留守番モードにおける固定の応答メッセージを記憶する手段と
を備え、
前記留守番モードとなっている電話端末宛の着信について、前記発信電話番号が前記電話帳データ中に含まれているかどうかを判断し、
前記発信電話番号が前記電話帳データ中に含まれていないと判断したときには、留守番モードとなっている前記着信通知を着信先の電話端末に送信せずに、前記着信に自動応答して、前記固定の応答メッセージを発信者に送信する
ことを特徴とする請求項１または請求項２に記載の電話システム。
【請求項７】
１以上の電話端末と、前記電話端末と無線あるいは有線で接続され、前記電話端末を内線端末として管理する主装置とからなる電話システムであって、
前記主装置は、
着信を検知したときに、発信電話番号を含む着信通知を前記電話端末に送信する手段と、
前記電話端末からの着信応答に応じて、前記電話端末と前記発信者側との通話路を生成する手段と、
電話番号と、当該電話番号を発信電話番号として使用する発信者を認識するための発信者認識情報との対応関係からなる電話帳データを記憶する電話帳データ記憶部と、
前記電話端末からの状態通知情報に基づいて、当該電話端末を留守番モードに設定管理する手段と、
留守番モードにおける固定の応答メッセージを記憶する手段と
を備え、
前記電話端末は、
着信に対する複数種の応答メッセージを格納保持する応答メッセージ記憶部と、
前記主装置からの着信通知を受信したときに、前記着信通知に含まれる発信電話番号に基づいて発信者を報知する報知手段と、
前記複数種の応答メッセージによる複数種の自動応答方法を含む複数通りの着信応答方法のうちの一つの着信応答方法を選択するための着信応答方法選択手段と、
前記着信応答方法選択手段により選択された着信応答方法が、前記複数種の応答メッセージによる複数種の自動応答方法の一つであるときに、前記着信に対する着信応答を前記主装置に通知する着信応答手段と、
前記着信応答方法選択手段により選択された着信応答方法に対応する応答メッセージを前記応答メッセージ記憶部から読み出して、前記着信応答に基づいて前記主装置により生成された通話路を通じて発信者に送出する応答メッセージ送出手段と、
を備え、
前記主装置は、
前記留守番モードとなっている電話端末宛の着信について、前記発信電話番号が前記電話帳データ中に含まれているかどうかを判断し、
前記発信電話番号が前記電話帳データ中に含まれていないと判断したときには、留守番モードとなっている前記着信通知を着信先の電話端末に送信せずに、前記着信に自動応答して、前記固定の応答メッセージを発信者に送信する
ことを特徴とする電話システム。
【発明の詳細な説明】
【技術分野】
【０００１】
この発明は、電話システムにおける着信応答の発明に関する。より詳細には、着信時の電話端末の使用者の状況や要望に応じた動的な着信応答を可能にする発明に関する。
【背景技術】
【０００２】
使用者が不在などの場合、留守番モードにすることにより、着信に対して予め定められた固定の応答メッセージを送出する電話端末は一般的に良く知られている。しかし、例えば着信を受けた使用者と発信者との関係の深さの違いなどから、単に着信を拒否するのではなく、メッセージを残してもらいたい、後でこちらから電話をかけ直したい、などの種々の状況が考えられる。しかし、固定の応答メッセージで着信に応答する場合には、そのような発信者に応じた異なる応答メッセージで応答することはできない。
【０００３】
そこで、特許文献１（特開平６−１２５３８３号公報）や特許文献２（特開平１０−２１５３０９号公報）には、複数種の応答メッセージを予め用意すると共に、相手の電話番号と応答メッセージとの対応テーブルを用意しておき、留守番モードにおいて受信した着信時の発信電話番号により、前記対応テーブルを参照して、相手に応じた応答メッセージにより着信応答することが開示されている。
【０００４】
この特許文献１や特許文献２の技術によれば、留守番モードにおいては、例えば着信を受けた使用者と発信者との関係の深さの違いなどに応じた応答メッセージで着信応答することができる。
【先行技術文献】
【特許文献】
【０００５】
【特許文献１】特開平６−１２５３８３号公報
【特許文献２】特開平１０−２１５３０９号公報
【発明の概要】
【発明が解決しようとする課題】
【０００６】
しかしながら、上述の特許文献１，２の着信応答方法では、予め発信者に応じて固定的に設定したメッセージで自動応答しているだけであるので、電話端末の使用者の着信時における状況や要望に応じた適切な応答をすることができない。
【０００７】
例えば、会議中においては、着信に対しては応答して通話をすることができなくても、着信をしてきた発信者が誰であるかを確認することができる場合があり、そのときの使用者の状況や要望によっては予め設定した固定的な応答のメッセージとは異なるメッセージで着信応答させたい場合も生じる。
【０００８】
しかし、着信応答の方法として従来の特許文献１，２の技術を用いた場合には、発信者に応じて予め用意した固定的なメッセージで自動応答することしかできないので、使用者の着信時における状況や要望に応じた着信応答をすることができないという問題がある。
【０００９】
この発明は、以上の問題点に鑑み、使用者の着信時における状況や要望に応じて、動的な着信応答をすることができるようにすることを目的とする。
【課題を解決するための手段】
【００１０】
上記の課題を解決するために、この発明は、
１以上の電話端末と、前記電話端末と無線あるいは有線で接続され、前記電話端末を内線端末として管理する主装置とからなる電話システムであって、
前記主装置は、
着信に対する複数種の応答メッセージを格納保持する応答メッセージ記憶部と、
着信を検知したときに、発信電話番号を含む着信通知を前記電話端末に送信する手段と、
前記電話端末からの前記応答メッセージの指定情報の受信に応じて、前記発信者側との通話路を生成する生成手段と、
前記応答メッセージ記憶部から、前記電話端末から受信した前記応答メッセージの指定情報により指定された応答メッセージを前記応答メッセージ記憶部から読み出して、前記生成手段により生成された通話路を通じて発信者に送出する応答メッセージ送出手段と、
を備え、
前記電話端末は、
前記主装置からの着信通知を受信したときに、前記着信通知に含まれる発信電話番号に基づいて発信者を報知する報知手段と、
前記複数種の応答メッセージによる複数種の自動応答方法を含む複数通りの着信応答方法のうちの一つの着信応答方法を選択するための着信応答方法選択手段と、
前記着信応答方法選択手段により選択された着信応答方法が、前記複数種の応答メッセージによる複数種の自動応答方法の一つであるときに、前記選択された着信応答方法に対応する前記応答メッセージの指定情報を前記主装置に送信する指定情報送信手段と、
を備えることを特徴とする電話システムを提供する。
【００１２】
この発明によれば、着信を受けたときに、報知手段によりその着信の発信者が誰であるかが、使用者に報知される。これに基づき、使用者は、発信者が誰であるかを考慮しながら、着信に対する複数種の自動応答メッセージによる複数種の自動応答を含む複数通りの着信応答のうちから、そのときの使用者の状況に応じた一つの着信応答を選択することができる。そして、その選択された自動応答メッセージが、着信の相手である発信者に送信される。
【発明の効果】
【００１４】
この発明によれば、着信を受けた電話端末の使用者の、そのときの状況や当該着信の発信者が誰であるかなどに応じて、動的に自動応答することができる。
【図面の簡単な説明】
【００１５】
【図１】第１の実施形態の電話端末のハードウエア構成例を示すブロック図である。
【図２】第１の実施形態の電話端末が有する電話帳データの例を示す図である。
【図３】第１の実施形態の電話端末が備える応答メッセージ記憶部に記憶される応答メッセージの例を示す図である。
【図４】第１の実施形態の電話端末の表示画面の着信を受信したときの表示例を示す図である。
【図５】第１の実施形態の電話端末における着信応答処理の流れの一例を説明するためのフローチャートの一部を示す図である。
【図６】第１の実施形態の電話端末における着信応答処理の流れの一例を説明するためのフローチャートの一部を示す図である。
【図７】第１の実施形態の電話端末における着信応答処理の流れの一例を説明するためのフローチャートの一部を示す図である。
【図８】第１の実施形態の電話端末における着信応答処理のシーケンス例を示す図である。
【図９】この発明による電話端末の第２の実施形態の要部を説明するために用いる図である。
【図１０】第３の実施形態の電話システムの全体の概略構成を示す図である。
【図１１】第３の実施形態の電話システムを構成する主装置のハードウエア構成例を示すブロック図である。
【図１２】第３の実施形態の電話システムを構成する主装置が有するシステム電話帳データの例を示す図である。
【図１３】第３の実施形態の電話システムを構成する主装置が備える内線端末管理テーブルの一例を示す図である。
【図１４】第３の実施形態の電話システムを構成する電話端末のハードウエア構成例を示すブロック図である。
【図１５】第３の実施形態の電話システムを構成する主装置における処理例の流れの一例を説明するためのフローチャートを示す図である。
【図１６】第３の実施形態の電話システムを構成する電話端末における処理例の流れの一例を説明するためのフローチャートを示す図である。
【図１７】第３の実施形態の電話システムを構成する主装置における着信応答処理の流れの一例を説明するためのフローチャートの一部を示す図である。
【図１８】第３の実施形態の電話システムを構成する主装置における着信応答処理の流れの一例を説明するためのフローチャートの一部を示す図である。
【図１９】第３の実施形態の電話システムを構成する電話端末における着信応答処理の流れの一例を説明するためのフローチャートの一部を示す図である。
【図２０】第３の実施形態の電話システムを構成する電話端末における着信応答処理の流れの一例を説明するためのフローチャートの一部を示す図である。
【図２１】第３の実施形態の電話システムにおける着信応答処理のシーケンス例を示す図である。
【図２２】第４の実施形態の電話システムを構成する主装置における着信応答処理の流れの一例を説明するためのフローチャートの一部を示す図である。
【図２３】第４の実施形態の電話システムを構成する電話端末における着信応答処理の流れの一例を説明するためのフローチャートを示す図である。
【図２４】第４の実施形態の電話システムにおける着信応答処理のシーケンス例を示す図である。
【図２５】第５の実施形態の電話システムの全体の概略構成を示す図である。
【図２６】第５の実施形態の電話システムを構成する充電器のハードウエア構成例を示すブロック図である。
【図２７】第５の実施形態の電話システムにおける着信応答処理のシーケンス例を示す図である。
【発明を実施するための形態】
【００１６】
以下、この発明の幾つかの実施形態を、図を参照しながら説明する。
【００１７】
［第１の実施形態；電話端末単独の構成］
図１は、電話端末１の実施形態のハードウエア構成例を示す図である。この実施形態の電話端末１は、いわゆるスマートフォンと呼ばれる携帯電話端末の構成を備える場合である。
【００１８】
この実施形態の電話端末１は、マイクロコンピュータで構成される制御部１０１を備える。そして、電話端末１においては、制御部１０１が、システムバス１００を通じて、無線電話通信部１０２、受信信号処理部１０３、送信信号処理部１０４、音声インターフェース１０５、ディスプレイインターフェース１０６、タッチパネルインターフェース１０７、表示情報生成部１０８、電話帳管理部１０９、応答メッセージ送出部１１０、着信フォルダ管理部１１１、モード管理部１１２、のそれぞれと接続されている。
【００１９】
無線電話通信部１０２は、携帯電話網の基地局を通じて相手と通信をするための無線通信部である。受信信号処理部１０３は、無線電話通信部１０２を通じて受信した通信情報を解析して、呼制御メッセージや通話信号をデコードし、システムバス１００に送出する。送信信号処理部１０４は、制御部１０１の制御の下、無線電話通信部１０２を通じて送信する送信信号を生成する。
【００２０】
音声インターフェース１０５は、制御部１０１の制御の下、受信信号処理部１０３からの受話音声情報を、デジタル信号からアナログ信号に変換し、アンプ１１３に供給する。アンプ１１３に供給された受話音声信号はスピーカ１１４に供給されて音響再生される。音声インターフェース１０５は、また、マイクロホン１１５で収音され、アンプ１１６で増幅された送話音声信号を、アナログ信号からデジタル信号に変換して、制御部１０１の制御の下、送信信号処理部１０４に供給する。
【００２１】
ディスプレイインターフェース１０６には、例えばＬＣＤ（Liquid  Crystal  Display）からなるディスプレイ１１７が接続される。ディスプレイ１１７の表示画面には、待ち受け画面などが表示されると共に、送信時の相手の電話番号や着信時の発信者表示および着信応答選択操作画面などが表示される。
【００２２】
また、この実施形態では、ディスプレイ１１７の表示画面上には、タッチパネル１１８が設けられている。タッチパネル１１８は、タッチパネルインターフェース１０７に接続されている。タッチパネルインターフェース１０７は、タッチパネル１１８を通じた使用者による操作指示入力を受けて、システムバス１００に送出する。
【００２３】
そして、この実施形態では、操作ボタンなどの操作入力は、このタッチパネル１１８を通じて行えるようにされており、ディスプレイ１１７の表示画面には、必要に応じて操作画面が表示される。この表示画面に表示されたアイコンなどに対して、使用者は、指でタッチ操作したり、指でスライドさせたりする所定の振る舞いをすることにより、所定の操作入力をすることができる。この実施形態では、ディスプレイ１１７の表示画面に表示される着信応答選択操作画面と、タッチパネル１１８とにより、着信応答選択手段が構成される。
【００２４】
表示情報生成部１０８は、制御部１０１の制御により、着信時の表示画面、発信時の表示画面、その他の表示画面の表示情報を生成して、ディスプレイインターフェース１０６を通じてディスプレイ１１７に供給する。
【００２５】
電話帳管理部１０９は、電話帳記憶部１０９Ｍを備える。電話帳記憶部１０９Ｍには、例えば図２に示すように、発信者の電話番号と、その発信者を認識するために使用者により登録された発信者認識情報との対応テーブルである電話帳のデータ（電話帳データ）が記憶されている。発信者認識情報は、使用者が、発信者の名前や名称、所属会社などを設定入力することにより、電話帳データとして記憶される。なお、図２では、発信者認識情報は、簡単のため「名前」と表示している。
【００２６】
この実施形態では、電話帳記憶部１０９Ｍの電話帳には、図２に示すように、電話端末１が留守番モードとなっているときに、当該電話帳に登録された発信者から着信があったときにどのような着信応答方法で着信に応答するかの種別を示す応答種別が付随して設定可能とされている。したがって、応答種別は着信応答方法に対応するものである。この応答種別は、電話帳に登録する発信者の全てに対して設定する必要はなく、未設定のままであっても良い。
【００２７】
応答種別（着信応答方法）としては、この例では、「拒否」、「会議」、「用件録音」、「未応答」の４種が用意されている。そして、「未応答」を除く応答種別のそれぞれに対応して、図３に示すようなメッセージ（応答メッセージ）が、応答メッセージ記憶部１１０Ｍに記憶されている。ここで、着信に対して応答メッセージを送出して応答する方法を、自動応答方法ということとする。したがって、この例においては、「未応答」を除く「拒否」、「会議」、「用件録音」の応答種別が自動応答方法となる。
【００２８】
すなわち、図３の例では、応答種別の「拒否」に対しては、「ただいま電話に出ることができません。後ほどおかけ直し下さい。」という自動応答メッセージが対応付けられて記憶されている。この応答種別の「拒否」は、使用者が電話帳データとして発信者に対して設定登録することも勿論できるが、この実施形態では、応答種別の設定登録がなされていない未設定の発信者に対しての応答種別（デフォルトの応答種別）ともされる。
【００２９】
また、応答種別の「会議」に対しては、「ただいま会議中のため、後ほどおかけ直しします。」という自動応答メッセージが対応付けられて記憶されている。また、応答種別の「用件録音」に対しては、「ただいま電話に出ることができません。発信音の後にメッセージをお願いします」という自動応答メッセージが対応付けられて記憶されている。
【００３０】
また、応答種別の「未応答」に対しては、自動応答メッセージは記憶されない。応答種別の「未応答」は着信に対して応答しないという着信応答方法である。つまり、応答種別の「未応答」は、着信に対して使用者に着信の報知はするが、自動応答はしない着信応答方法である。
【００３１】
そして、この実施形態では、応答メッセージ記憶部１１０Ｍには、応答種別の「拒否」、「会議」、「用件録音」のそれぞれに対応して応答時間が設定されている。この応答時間は、着信を検出して着信音やバイブレータにより着信報知をした時点から、各応答種別に応じた応答メッセージを送出するまでの待ち時間であり、後述するように、この応答時間の間に、使用者は、応答種別(着信応答方法)の変更指示をすることができる。この応答時間は、予め定められた値を用いても良いし、使用者が設定するようにしても良い。
【００３２】
応答メッセージ送出部１１０は、この応答メッセージ記憶部１１０Ｍを備える。応答メッセージ送出部１１０は、制御部１０１からの応答種別の指定情報を受けて、その指定情報で指定された応答種別の応答メッセージを応答メッセージ記憶部１１０Ｍから読み出して、制御部１０１の制御の下、送信信号処理部１０４および無線電話通信部１０２を通じて相手方に送信するようにする。
【００３３】
着信フォルダ管理部１１１は、着信を、応答種別（着信応答方法）毎のフォルダに分けて管理するもので、全ての応答種別のフォルダを記憶するフォルダ記憶部１１１Ｍを備える。すなわち、フォルダは、応答種別のそれぞれ毎に作成されており、フォルダ記憶部１１１Ｍに記憶されている。各応答種別毎のフォルダには、その応答種別により応答した着信のリストが格納される。着信のリストには、着信の日時と、発信者の電話番号、および電話帳データに基づく発信者の氏名、名称などの発信者認識情報などが記録される。
【００３４】
また、特に、応答種別「用件録音」の場合には、発信者から送られてくる音声メッセージを受信して録音する（留守録音機能）があるので、「用件録音」のフォルダの場合には、発信者からのメッセージは、「用件録音」のフォルダ内において、それぞれの着信リストに対応して記憶するようにしている。なお、メッセージ記憶部を別途設け、各発信者からのメッセージを「用件録音」のフォルダの着信のリストのそれぞれと対応付けて、そのメッセージ録音部に記憶するようにしても良い。
【００３５】
この実施形態の電話端末１においては、ディスプレイ１１７の表示画面１１７Ｄに表示される例えばメニュー画面において使用者が所定の操作をすると、応答種別のフォルダのアイコンが表示されるように構成されている。そして、使用者がタッチパネル１１８を通じてそれぞれのフォルダを開く操作すると、そのフォルダの着信リストの一覧が表示画面１１７Ｄに表示されるように構成されている。
【００３６】
そして、この実施形態では、特に、使用者が「会議」のフォルダを開けて、着信リストの一つの着信を選択すると、当該着信の発信者へのかけ直しの発信がなされるように構成されている。また、使用者が、「用件録音」のフォルダを開けて、着信リストの一つの着信を選択すると、当該着信に対応して記憶されているメッセージが再生されるように構成されている。
【００３７】
また、この実施形態では、着信フォルダ管理部１１１は、制御部１０１の制御の下に、留守番モードのときの着信の発信者が電話帳に登録されている発信者であるときには、上記の複数個の応答種別のフォルダを表示画面１１７Ｄに表示する。そして、使用者が、その複数個のフォルダの一つを選択する操作をすると、着信フォルダ管理部１１１は、当該着信を、選択された応答種別のフォルダに格納する。このとき、制御部１０１は、着信の発信者に対して電話帳に登録されている応答種別に関係なく、使用者により選択された応答種別の応答メッセージを応答メッセージ送出部１１０から送出させるようにする。この留守番モードにおける着信時の処理動作については、後で、さらに詳述する。
【００３８】
なお、複数の応答種別（着信応答方法）の種類は、予め定められた固定のものとしても良いが、使用者が応答種別の種類を追加すると共に、対応する応答メッセージおよび応答時間を追加設定するようにしても良い。
【００３９】
モード管理部１１２は、電話端末１の現在状態が、待ち受け状態、着信状態、発信状態、通話状態、留守番モード状態などのいずれであるかを管理する機能部である。留守番モードは、使用者のタッチパネル１１８を通じた留守番モード起動の操作を受けて開始する。留守番モードの起動の操作としては、例えばメニュー画面から設定されたモード設定画面で表示される留守番アイコンボタンを押下する操作とすることができる。あるいは、モード設定画面において、「会議中」アイコンボタンを表示画面に表示させて、当該「会議中」アイコンボタンを押下する操作を留守番モードの設定操作とする構成とすることもできる。
【００４０】
［実施形態の電話端末１の外観］
図４は、この実施形態の電話端末１の外観の一例を示すものである。この実施形態の電話端末は扁平の筐体１Ａを備える。図４は、電話端末１をディスプレイ１１７の表示画面１１７Ｄ側から見た図である。
【００４１】
この実施形態の電話端末１は、筐体の一面の大部分をディスプレイ１１７の表示画面１１７Ｄが占める。前述したように、この表示画面１１７Ｄの上に貼付されているタッチパネル１１８を通じて使用者は操作入力をすることができるものとされている。なお、図４に示すように、表示画面１１７Ｄの上方にスピーカ１１４からの音声の放音用の開口１１４Ｓが設けられると共に、表示画面１１７Ｄの下方にマイクロホン１１５の収音用の開口１１５Ｍが設けられている。
【００４２】
なお、図１において、受信信号処理部１０３、送信信号処理部１０４、表示情報生成部１０８、電話帳記憶部１０９Ｍを除く電話帳管理部１０９、応答メッセージ記憶部１１０Ｍを除く応答メッセージ送出部１１０、モード管理部１１２の各部は、制御部１０１がソフトウエア処理による機能ブロックの構成とすることもできる。
【００４３】
［実施形態の電話端末の概略動作］
留守番モードでなければ、電話端末１は、通常と同様に、着信に対して着信音を発したり、マナーモードで例えばバイブレータを振動させたりすることにより使用者に着信を報知する。そして、その着信の発信者の電話番号をディスプレイ１１７の表示画面に表示する（非通知着信の場合や、公衆電話からの着信は除く）と共に、その着信の発信者の発信者認識情報が電話帳データとして登録されていれば、その発信者の氏名や名称などの発信者認識情報を表示画面に合わせて表示する。以下、この発信者についての着信表示を着信時発信者表示と略称する。
【００４４】
使用者は、この着信に対して電話端末１で、ディスプレイ１１７の表示画面上のタッチパネル１１８を通じてオフフック動作をして応答すると、通話路が生成され、着信をしてきた発信者と通話をすることができる。
【００４５】
また、この実施形態の電話端末１は、留守番モードのときに着信があると、着信時発信者表示と共に、着信の発信者が電話帳に登録されている発信者であるときには、上記の複数個の応答種別のフォルダのアイコンを表示画面１１７Ｄに併せて表示する。
【００４６】
図４における表示画面１１７Ｄの表示例は、留守番モードにおいて着信を検知し、当該着信の発信者が電話帳に登録されている発信者であるときの表示画像の例であり、着信時発信者表示１２０を表示画面１１７Ｄに表示するだけではなく、複数個の応答種別のフォルダのアイコンを表示する。この例では、応答種別が「拒否」、「会議」、「用件録音」のフォルダのアイコン１２１，１２２，１２３を表示する。図４に示すように、この例の表示画面１１７Ｄにおいては、各フォルダのアイコン１２１，１２２，１２３の下部にその応答種別を示す文字が表示されて、使用者にどのフォルダであるかを報知している。
【００４７】
また、さらに、図４の表示例においては、着信時発信者表示１２０から、各フォルダのアイコン１２１，１２２，１２３に対して矢印１２４が表示されていて、いずれの応答種別でも着信自動応答が可能であることを使用者に報知している。そして、この例においては、電話端末１は、留守番モードにおいても、着信音を発したり、マナーモードであれば、例えばバイブレータを振動させたりすることにより使用者に着信を報知する。
【００４８】
この着信の報知に対して、使用者が、応答種別毎に設定されている応答時間内に何も操作入力をしなければ、電話端末１は、当該着信の発信者に対して電話帳データに登録されている応答種別の応答メッセージで、その応答時間の経過後に、自動応答する。
【００４９】
また、この実施形態では、図４の表示画面において、応答種別毎に設定されている応答時間内に、使用者が、フォルダのアイコン１２１，１２２，１２３のいずれかを選択する操作をすると、電話端末１は、電話帳に設定されている応答種別に関係なく、その選択された応答種別の応答メッセージで自動応答する。
【００５０】
ここで、使用者のフォルダの選択操作は、例えば、指を、着信時発信者表示１２０から、そのときの状況に応じて選択したい応答種別のフォルダのアイコンへのスライド移動とされている。この操作は、着信を選択した応答種別のフォルダに入れるという直感的な操作である。なお、フォルダの選択操作は、このようなスライド移動ではなく、単に、選択したい応答種別のフォルダのアイコンを押下指示するだけの操作であっても良い。
【００５１】
前述もしたように、使用者のフォルダの選択操作があると、制御部１０１は、着信フォルダ管理部１１１に対して、受信中の着信を、選択されたフォルダの着信リストに入れるように制御する。また、制御部１０１は、応答メッセージ送出部１１０に指示して、選択されたフォルダの応答種別に対応する応答メッセージを、着信の発信者に送信するように制御する。
【００５２】
したがって、この実施形態の電話端末１によれば、留守番モードにおいては、着信してきた発信者に対応して電話帳データに登録されている応答種別の応答メッセージでのみ自動応答するのではなく、当該着信時の使用者の状況や着信の緊急度などに応じて使用者が選択した応答種別で動的に自動応答することができる。
【００５３】
以上説明したようにして、この実施形態では、表示画面１１７Ｄに選択可能な応答種別のフォルダアイコンの表示をすると共に、タッチパネル１１８を通じた使用者の選択の操作を検出する処理により、着信応答方法の選択ができる。この表示画面１１７Ｄの表示およびタッチパネル１１８を通じた選択操作の受付処理機能は、着信応答方法選択手段の一例を構成する。
【００５４】
なお、この実施形態では、電話端末１は、着信の発信者のデータが電話帳データに存在しない場合には、デフォルトの応答種別の「拒否」の自動応答メッセージを、着信の発信者側に対して送出することで自動応答する。
【００５５】
［着信に対する応答の処理動作例］
この実施形態の電話端末の着信処理の動作の流れの例を、図５〜図７のフローチャートを参照しながら説明する。この図５〜図７の処理例は、制御部１０１が、受信信号処理部１０３、送信信号処理部１０４、表示情報生成部１０８、電話帳記憶部１０９Ｍを除く電話帳管理部１０９、応答メッセージ記憶部１１０Ｍを除く応答メッセージ送出部１１０、モード管理部１１２の各機能部を、ソフトウエア処理機能部として構成する場合の例である。
【００５６】
制御部１０１は、無線電話通信部１０２の受信信号を監視して、着信を受信したか否か判別する（ステップＳ１）。このステップＳ１で、着信を受信してはいないと判別したときには、制御部１０１は、その他の処理を行う（ステップＳ２）。また、ステップＳ１で、着信を受信したと判別したときには、制御部１０１は、着信音を発したり、マナーモードであればバイブレータにより振動させたりして、着信報知を実行する（ステップＳ３）。
【００５７】
次に、制御部１０１は、電話端末１が留守番モードの状態であるか否か判別し（ステップＳ４）、留守番モードの状態でなければ、通常の着信処理ルーチンを実行する（ステップＳ５）。
【００５８】
ステップＳ４で、電話端末１が留守番モードの状態であると判別したときには、制御部１０１は、電話帳記憶部１０９Ｍの電話帳データを検索し（ステップＳ６）、着信の発信者のデータが存在するか否か、すなわち、発信者は電話帳に登録されているか否か判別する（ステップＳ７）。このステップＳ７で、発信者が電話帳に登録されていないと判別したときには、制御部１０１は、着信に対して自動応答して通話路を生成し（ステップＳ８）、応答メッセージ記憶部１１０Ｍから応答種別の「拒否」の応答メッセージを読み出して、生成した通話路を通じて発信者側に送信する（ステップＳ９）。そして、制御部１０１は、生成した通話路を切断する処理をし（ステップＳ１０）、この処理ルーチンを終了する。
【００５９】
ステップＳ７で、発信者が電話帳に登録されていると判別したときには、制御部１０１は、図４に示したように、表示画面１１７Ｄに、着信時発信者表示１２０を表示すると共に、使用者が選択可能な複数の応答種別のフォルダのアイコン１２１〜１２３を表示する（図６のステップＳ２１）。次に、制御部１０１は、電話帳記憶部１０９Ｍの電話帳データを参照して、着信の発信者に対して設定されている応答種別を認識する（ステップＳ２２）。
【００６０】
次に、制御部１０１は、着信の発信者に対して応答種別の設定がなされているか否か判別し（ステップＳ２３）、応答種別の設定がなされていないと判別したときには、ステップＳ８に進んで、前述したこのステップＳ８以降の処理を行い、応答種別の「拒否」の応答メッセージによる自動応答の処理を実行する。
【００６１】
また、ステップＳ２３で、応答種別の設定がされていると判別したときには、制御部１０１は、設定された応答種別は「未応答」であるか否か判別する（ステップＳ２４）。このステップＳ２４で、応答種別は「未応答」ではないと判別したときには、制御部１０１は、ステップＳ２２で認識した応答種別により、応答メッセージ記憶部１１０Ｍを参照し、認識した応答種別について設定されている応答時間の時間計測を開始する（図７のステップＳ３１）。
【００６２】
次に、制御部１０１は、応答時間が経過したか否か判別し（ステップＳ３２）、経過していないと判別したときには、使用者による前述したフォルダのアイコン１２１〜１２３のいずれかを選択指定する操作があったか否か判別する（ステップＳ３３）。
【００６３】
このステップＳ３３で、フォルダのアイコン１２１〜１２３のいずれかを選択指定する操作がなされていないと判別したときには、制御部１０１は、処理をステップＳ３２に戻し、このステップＳ３２以降の処理を繰り返す。ステップＳ３３で、フォルダのアイコン１２１〜１２３のいずれかを選択指定する操作がなされたと判別したときには、制御部１０１は、着信に対して自動応答し（ステップＳ３４）、即座に選択指定された応答種別の応答メッセージを、応答メッセージ記憶部１１０Ｍから読み出して、無線電話通信部１０２を通じて着信の発信者側に送信する（ステップＳ３５）。
【００６４】
使用者によるフォルダの選択指定が行われることなく、ステップＳ３２で、応答時間が経過したと判別したときには、制御部１０１は、着信に対して自動応答し（ステップＳ３６）、ステップＳ２２で認識された着信の発信者に対して設定されている応答種別の応答メッセージを、応答メッセージ記憶部１１０Ｍから読み出して、無線電話通信部１０２を通じて着信の発信者側に送信する（ステップＳ３７）。
【００６５】
ステップＳ３４またはステップＳ３５の次には、制御部１０１は、着信に対して送出された応答メッセージの応答種別は、「用件録音」であるか否か判別する（ステップＳ３８）。ステップＳ３８で、「用件録音」ではないと判別したときには、制御部１０１は、切断処理を実行し（ステップＳ４１）、この処理ルーチンを終了する。
【００６６】
また、ステップＳ３８で、「用件録音」であると判別したときには、制御部１０１は、着信の発信者からの音声メッセージの録音処理を実行して、音声メッセージを「用件録音」のフォルダの着信リストに対応付けて記憶する（ステップＳ３９）。次に制御部１０１は、着信をしてきた発信者側からの切断通知を受信したか否か判別し（ステップＳ４０）、受信していなければ、ステップＳ３９に戻って着信の発信者からの音声メッセージの録音処理を継続する。そして、ステップＳ４０で、切断通知を受信したと判別したときには、切断処理を実行し（ステップＳ４１）、この処理ルーチンを終了する。
【００６７】
また、図６のステップＳ２４で、応答種別は「未応答」であると判別したときには、制御部１０１は、着信報知を使用者に対して行いつつ、使用者による前述したフォルダのアイコン１２１〜１２３のいずれかを選択する操作があったか否か判別する（ステップＳ２５）。
【００６８】
このステップＳ２５で、フォルダのアイコン１２１〜１２３のいずれかを選択する操作がなされていないと判別したときには、制御部１０１は、相手（発信者）による切断がなされたか否か判別し（ステップＳ２６）、相手による切断がなされていなければ、ステップＳ２５に戻り、このステップＳ２５以降の処理を繰り返す。そして、ステップＳ２６で、相手切断を確認したら、制御部１０１は、この処理ルーチンを終了する。
【００６９】
また、ステップＳ２５で、フォルダのアイコン１２１〜１２３のいずれかを選択する操作がなされたと判別したときには、制御部１０１は、処理を図７のステップＳ３４に進めて、着信に対して自動応答し、次のステップＳ３５で、選択指定された応答種別の応答メッセージを、応答メッセージ記憶部１１０Ｍから読み出して、無線電話通信部１０２を通じて着信の発信者側に送信する。そして、その後、ステップＳ３５以降の処理を繰り返す。
【００７０】
以上のようにして、この第１の実施形態の電話端末１によれば、留守番モードにおいて着信を受けたときは、使用者は、当該着信の発信者を着信時発信者表示１２０により確認しながら、そのときの状況や要望に応じた着信応答方法で動的に着信応答することができる。
【００７１】
すなわち、使用者は、着信を受けて着信時発信者表示１２０により確認した結果の発信者に対しては、電話帳に登録した応答種別での応答方法ではない他の希望する着信応答方法で応答したいと判断したときには、表示画面１１７Ｄにおいて、前述したようにして、前記希望する着信応答方法の応答種別のフォルダに着信を入れるスライド操作により着信応答方法を選択する。すると、電話端末１は、その選択された着信応答方法の応答種別の応答メッセージにより、着信に対する応答メッセージを送出する。したがって、使用者は、着信を受けたときの状況や要望に応じた応答メッセージで動的に着信応答をすることができるようになる。
【００７２】
図８のシーケンス図を参照しながら、具体的な着信応答処理例を説明する。前半の図８（Ａ）のシーケンス例は、電話帳に電話番号「０９０８８８８９９９９」として登録されている佐藤次郎氏からの着信を受けた場合である。すなわち、電話端末１は、留守番モードにおいて、佐藤次郎氏からの着信を受けると、その着信時の発電話番号により電話帳データを検索して発信者認識情報として佐藤次郎氏の名前を検出する。そして、電話端末１は、図４に示すように、表示画面１１７Ｄに、発電話番号と佐藤次郎氏の名前とからなる着信時発信者表示１２０を表示すると共に、使用者が選択可能な複数の応答種別のフォルダのアイコン１２１〜１２３を表示する。また、電話端末１は、電話帳データから、佐藤次郎氏について設定されている応答種別が「用件録音」であることを確認する。
【００７３】
そして、電話端末１は、応答メッセージ記憶部１１０Ｍに記憶されている応答種別「用件録音」についての応答時間の時間計測を開始して応答メッセージの送出待ちの状態となる。
【００７４】
図８（Ａ）の例では、この応答時間の間に、電話端末１の使用者は、表示画面１１７Ｄ上のタッチパネル１１８において、指を着信時発信者表示１２０から「用件録音」のフォルダのアイコン１２３にスライド移動させて、着信を「用件録音」のフォルダに格納する操作をする。
【００７５】
すると、電話端末１は、応答時間の経過を待つことなく即座に自動応答して通話路を生成し、応答メッセージ記憶部１１０Ｍから応答種別「用件録音」に対応する応答メッセージを読み出して、着信をしてきた佐藤次郎氏の電話端末宛に送信する。そして、佐藤次郎氏からの音声メッセージを録音して、「用件録音」のフォルダの当該佐藤次郎氏の着信に対応付けて、その録音メッセージを保持する。そして、電話端末１は、佐藤次郎氏からの切断を待って通話路を切断して、この着信シーケンスを終了する。
【００７６】
この図８（Ａ）の例の場合には、使用者が手動操作しなくても、電話帳に設定されている応答種別は「用件録音」であったので、同じ着信応答方法で着信に応答することができるが、手動操作をすることにより、応答時間の経過を待つことなく、同じ応答メッセージが送出されることになる。
【００７７】
次に、後半の図８（Ｂ）の場合のシーケンス例について説明する。この例も、留守番モードにおいて、電話帳に電話番号「０９０８８８８９９９９」として登録されている佐藤次郎氏からの着信を受けた場合であり、着信を受けてから、応答メッセージの送出待ちの状態になるまでは、図８（Ａ）の場合と全く同様である。
【００７８】
図８（Ｂ）の例では、応答時間の間に、電話端末１の使用者は、表示画面１１７Ｄ上のタッチパネル１１８において、指を着信時発信者表示１２０から「会議」のフォルダのアイコン１２２にスライド移動させて、着信を「会議」のフォルダに格納する操作をする。
【００７９】
すると、電話端末１は、応答時間の計測を終了させて、即座に自動応答して通話路を生成し、応答メッセージ記憶部１１０Ｍから応答種別「会議」に対応する応答メッセージを読み出して、着信をしてきた佐藤次郎氏の電話端末宛に送信する。そして、佐藤次郎氏からの切断を待って通話路を切断して、この着信シーケンスを終了する。
【００８０】
以上のように、使用者は、自分が電話帳に設定した応答種別に関係なく、表示画面１１７Ｄに表示されている複数個のフォルダアイコンのうちから、当該着信時点において、自分が選択したい着信応答方法のフォルダアイコンを選択操作することにより、選択した着信応答方法で着信に対する応答ができる。
【００８１】
［第１の実施形態の変形例］
なお、上述の例では、応答種別の「未応答」は、使用者が選択することができる応答種別とはしなかったが、この応答種別の「未応答」（自動応答方法ではない）のアイコンをも表示画面１１７Ｄに表示して、使用者が選択することができるようにしてもよい。そして、「未応答」を選択した場合には、留守番モードであっても着信に応答するフックボタンを表示するようにして、当該着信に使用者が応答操作することができるようにしてもよい。そのようにすれば、例えば着信の発信者を着信時発信者表示１２０から認識した使用者が、「未応答」を選択して応答時間をかせぎ、場所を移動するなどした後、フックボタンを選択するようにすることで、自動応答メッセージで対応せずに、自分で着信に応答するようにすることができる。
【００８２】
また、以上の例では、使用者が表示画面１１７Ｄに表示されている複数個のフォルダアイコンのうちから、選択したい着信応答方法のフォルダアイコンを選択すると、即座に選択された応答メッセージを送出するようにしたが、選択された応答メッセージに対応して設定されている応答時間の経過後に、応答メッセージを送出するようにしてもよい。
【００８３】
［第２の実施形態］
上述した第１の実施形態では、電話端末１は留守番モードに設定されているときに、設定されている複数の応答種別（着信応答方法）で応答するようにしており、「未応答」という自動応答方法でない着信応答方法も含むが、着信に対してオフフックして「通話」を開始するようにする着信応答方法は、考慮していない。
【００８４】
この第２の実施形態の電話端末では、着信に対してオフフックして「通話」を開始するようにする着信応答方法も、着信に対する応答種別（着信応答方法）の一つとして選択することができるようにする。したがって、この第２の実施形態では、電話端末は、留守番モードを備える必要はない。そして、この第２の実施形態の電話端末は、全ての着信に対して、通話のためのオフフック操作による応答および未応答の応答種別の他、自動着信後の応答メッセージ送出からなる自動着信応答による複数種の応答種別の中の一つにより、着信応答することを可能にする。
【００８５】
この第２の実施形態の電話端末についても、第１の実施形態と同様に、スマートフォンと呼ばれる携帯電話端末の場合の例を以下に説明する。
【００８６】
この第２の実施形態の電話端末のハードウエア構成例は、前述の図１に示した構成と同様である。そこで、以下の説明において、第１の実施形態の構成と同一部分については、同一の参照符号を用いて説明することとする。
【００８７】
この第２の実施形態においては、電話帳記憶部１０９Ｍに記憶する電話帳データとしては、応答種別の設定データは不要とされる。また、応答メッセージ記憶部１１０Ｍの記憶データについても、応答種別毎の応答メッセージに対応する応答時間のデータも不要とされる。
【００８８】
そして、この第２の実施形態の電話端末２においては、着信応答方法選択手段の例としてのタッチパネル１１８付きの表示画面１１７Ｄには、図９に示すように、自動応答方法である「拒否」、「会議」、「用件録音」の応答種別のフォルダアイコン１２１，１２２，１２３に加えて、着信に対するオフフック操作（着信応答操作）をイメージしたオフフックアイコン１２５を、選択可能な着信応答方法の選択肢の一つとして表示する。
【００８９】
すなわち、この第２の実施形態の電話端末２においては、着信があると、常に、図９の表示画面１１７Ｄに示すような、着信応答方法選択手段としての操作画面が表示される。この場合、図５のフローチャートにおける、着信時に電話端末が留守番モードの状態であるか否かを判断するステップＳ３は不要であり、着信を検出すると、即座に図９のような着信応答方法選択のための操作画面が表示される。
【００９０】
使用者は、表示画面１１７Ｄの着信時発信者表示１２０を参照して着信の発信者を知り、希望する着信応答方法を、フォルダアイコン１２１，１２２，１２３およびオフフックアイコン１２５のうちから選択して、その着信応答方法を選択指定する操作をする。すなわち、使用者は、着信に応答操作をして、通話をするときには、オフフックアイコン１２５を選択する操作をする。このときの着信の履歴は、応答種別「通話」の履歴フォルダに格納される。
【００９１】
また、通話をせずに、応答メッセージを用いた自動応答方法を選択したいときには、使用者は、フォルダアイコン１２１，１２２，１２３のうちの希望するフォルダアイコンを選択操作する。この選択操作により、第１の実施形態と同様にして、使用者は、着信時の状況や要望に応じた着信応答方法を選択して着信応答することができる。
【００９２】
なお、上述した第１の実施形態の場合には、着信の発信者が電話帳に登録されていないときには、自動応答して拒否の応答メッセージを送出するようにした。しかし、この第２の実施形態では、着信の発信者が電話帳に登録されていない場合であっても、使用者による選択操作に従った着信応答方法（通話のためのオフフック操作による着信応答方法も含む）で着信応答することができる。
【００９３】
また、この第２の実施形態の電話端末２においては、留守番モードを有していなくても、応答種別「用件録音」による着信応答方法を使用者が選択することで、自動応答して、用件録音を告げる応答メッセージを送出した後、相手からのメッセージを録音することができる。
【００９４】
［第２の実施形態の変形例］
上述の第２の実施形態では、電話端末は、留守番モードを備えない場合として説明した。しかし、第２の実施形態においても、留守番モードを備えるようにしても良い。その場合には、第１の実施形態と同様に、電話帳には、発信者毎に応答種別を登録するようにすると共に、応答メッセージについては応答時間を設定するようにしておく。
【００９５】
そして、その変形例の場合の電話端末においては、留守番モードを設定していない状態では、上述の第２の実施形態で説明した着信処理動作により着信応答処理を行なう。一方、留守番モードを設定した状態においては、前述した第１の実施形態で説明した留守番モードにおける着信処理動作により着信応答処理をするように構成する。
【００９６】
上述の第２の実施形態の変形例によれば、電話帳に登録されていない発信者に対しては、留守番モードが設定されているか否かにより、使用者のそのときの状況や要望を反映した着信応答ができる。すなわち、電話端末に留守番モードを設定していないときには、電話帳に登録されていない発信者からの着信に応答して通話をすることもできるし、選択した自動応答方法による着信応答方法で着信応答することもできる。また、留守番モードを設定したときには、電話帳に登録されていない発信者からの着信に対して、予め定めたデフォルトの「拒否」の応答種別の応答メッセージによる自動応答方法で着信応答することができる。
【００９７】
また、上述の第２の実施形態では、着信に対しては、常に着信応答方法の選択操作をする必要があるが、第２の実施形態の変形例においては、電話端末を留守番モードに設定することにより、選択操作をしなくても、デフォルトの応答種別の応答メッセージや電話帳に登録された応答種別の応答メッセージで着信応答することができる。
【００９８】
［第３の実施形態］
以上の第１および第２の実施形態は、単独で使用される電話端末の場合であったが、この発明は、１個あるいは複数個の電話端末と主装置とからなる電話システムに適用されるものである。第３の実施形態は、この発明の電話システムの実施形態の一例である。
【００９９】
図１０は、この第３の実施形態の電話システムの概略の全体構成例を示す図である。すなわち、この実施形態の電話システムは、公衆電話網や光電話網などを含む通信ネットワーク４に接続される主装置３と、複数個の電話端末５１，５２，・・・，５ｎ（ｎは２以上の整数）とからなる。
【０１００】
主装置３と複数個の電話端末５１，５２，・・・，５ｎとは、この例では、無線ＬＡＮ６により接続されている。複数個の電話端末５１，５２，・・・，５ｎは、主装置３による呼制御を受けて、無線ＬＡＮ６を通じて内線通話をすることができる。なお、複数個の電話端末５１，５２，・・・，５ｎは、全て同じ構成を備えるので、それぞれを区別して説明する必要がないときには、電話端末５と記載するものとする。
【０１０１】
［主装置３のハードウエア構成例］
図１１は、この実施形態の主装置３のハードウエア構成例を示す図である。この例の主装置３は、マイクロコンピュータで構成される制御部３０１を備える。そして、主装置３においては、制御部３０１が、システムバス３００を通じて、通信ネットワークインターフェース３０２、無線ＬＡＮインターフェース３０３、受信信号処理部３０４、送信信号処理部３０５、システム電話帳管理部３０６、内線端末管理部３０７、拒否応答メッセージ送出部３０８、のそれぞれと接続されている。
【０１０２】
通信ネットワークインターフェース３０２は、通信ネットワーク４に接続して相手と通信をするためのインターフェースであり、受信信号は受信信号処理部３０４に転送し、送信信号処理部３０５からの送信信号を通信ネットワーク４に送出する。無線ＬＡＮインターフェース３０３は、無線ＬＡＮ６を通じて電話端末５のそれぞれと通信するためのインターフェースであり、受信信号は受信信号処理部３０４に転送し、送信信号処理部３０５からの送信信号を指定された電話端末５に送信する。
【０１０３】
受信信号処理部３０４は、通信ネットワークインターフェース３０２を通じて受信した通信情報を解析して、呼制御メッセージや通話信号をデコードし、システムバス３００に送出する。受信信号処理部３０４は、また、無線ＬＡＮインターフェース３０３を通じて電話端末５から受信した通信情報を解析して、呼制御メッセージや通話信号をデコードし、システムバス３００に送出する。
【０１０４】
送信信号処理部３０５は、制御部３０１の制御の下、通信ネットワークインターフェース３０２を通じて送信する信号や、無線ＬＡＮインターフェース３０３を通じて送信する信号を生成する。
【０１０５】
システム電話帳管理部３０６は、システム電話帳記憶部３０６Ｍを備える。このシステム電話帳記憶部３０６Ｍには、例えば図１２に示すように、発信者の電話番号と、その発信者を認識するための前述した発信者認識情報との対応テーブルである電話帳のデータが記憶されている。この第３の実施形態では、システム電話帳には、応答種別は設定されない。
【０１０６】
内線端末管理部３０７は、無線ＬＡＮ６を通じて接続される複数個の内線端末としての電話端末５の状態を、記憶部（図示は省略）に記憶する内線端末管理テーブルに登録して管理する。図１３は、内線端末管理テーブルの一例を示すもので、複数個の電話端末５のそれぞれに対して割り当てられている内線番号と、それぞれの電話端末５のそのときの状態、例えば空き、通話中、着信中、留守番モードなどの状態、との対応が記録される。
【０１０７】
主装置３は、呼制御に基づき、各電話端末５が空き状態か、通話中状態か、着信中か、などを検出して、内線端末管理テーブルに、それぞれの状態を登録する。また、電話端末５から「会議中状態」などの留守番モードとすべき状態の状態通知を受け取ったときには、その電話端末５は、留守番モードとして管理する。
【０１０８】
拒否応答メッセージ送出部３０８は、前述の応答種別「拒否」に対応する応答メッセージを送出する。この第３の実施形態では、後述するように、留守番モードになっている内線の電話端末５に対して外線着信があったときに、その着信の発信者がシステム電話帳に登録されていないときには、内線の電話端末５に着信を通知することなく、主装置３が自動応答して、応答種別「拒否」の応答メッセージを、発信者に送信するようにする。拒否応答メッセージ送出部３０８は、その際に、応答種別「拒否」の応答メッセージを送出するためのものである。
【０１０９】
なお、図１１において、受信信号処理部３０４、送信信号処理部３０５、システム電話帳記憶部３０６Ｍを除くシステム電話帳管理部３０６、内線端末管理部３０７、応答メッセージ送出部３０８の各部は、制御部３０１がソフトウエア処理による機能ブロックの構成とすることもできる。
【０１１０】
［電話端末５のハードウエア構成例］
図１４は、第３の実施形態の場合の電話端末５のハードウエア構成例を示す図である。この例の電話端末５は、図１に示した第１の実施形態の電話端末１とほぼ同様のハードウエア構成を有するもので、説明を簡略化するために、１００番台の参照符号を付した電話端末１の構成部分と同じ構成部分には、５００番台の参照符号を付して示してある。
【０１１１】
電話端末１とこの例の電話端末５との違いを説明すると、電話端末１の無線電話通信部１０２の代わりに、電話端末５では、無線ＬＡＮ６に接続するための無線ＬＡＮインターフェース５０２がシステムバス５００に接続されて設けられると共に、電話帳管理部１０９は備えない。
【０１１２】
そして、第３の実施形態の電話端末５では、使用者が「会議中状態」などの状態通知の入力操作をすると、モード管理部５１２において、自端末の状態を「会議中モード（留守番モード）」にすると共に、「会議中状態」の状態通知を主装置３に送る機能を備える。
【０１１３】
そして、電話端末１では直接に通信ネットワークの基地局を通じて通信を行なったのに対して、電話端末５においては、主装置３に対して無線ＬＡＮ４を通じて通信を行う点が異なる。電話端末５のその他の動作は、前述した電話端末１と同様である。
【０１１４】
［電話端末５の留守番モード管理について］
図１５は、主装置３の内線端末管理部３０７における各内線の電話端末５の留守番モードの状態管理のための処理の流れの例を示すフローチャートである。ここでは、内線端末管理部３０７が、制御部３０１のソフトウエア処理による機能ブロックとされた場合として説明する。
【０１１５】
すなわち、主装置３の制御部３０１は、無線ＬＡＮ４を介して電話端末５のいずれかから、「会議中」の状態通知を受信したか否か判別する（ステップＳ２０１）。このステップＳ２０１で、「会議中」の状態通知を受信したと判別したときには、制御部３０１は、当該「会議中」の状態通知に含まれる内線の電話端末５の識別情報から、電話端末５１，５２，・・・，５ｎのいずれの電話端末からの状態通知であるかを認識し、内線端末管理テーブルにおいて、認識した電話端末の内線番号に対応して「会議中（留守番モード）」を登録する（ステップＳ２０２）。そして、この処理ルーチンを終了する。
【０１１６】
また、ステップＳ２０１で、「会議中」の状態通知を受信してはいないと判別したときには、制御部３０１は、無線ＬＡＮ４を介して電話端末５のいずれかから、「会議中解除」の状態通知を受信したか否か判別する（ステップＳ２０３）。このステップＳ２０３で、「会議中解除」の状態通知を受信してはいないと判別したときには、制御部３０１は、その他の処理を行う（ステップＳ２０４）。
【０１１７】
また、ステップＳ２０３で、「会議中解除」の状態通知を受信したと判別したときには、制御部３０１は、当該「会議中解除」の状態通知に含まれる内線の電話端末５の識別情報から、電話端末５１，５２，・・・，５ｎのいずれの電話端末からの状態通知であるかを認識し、内線端末管理テーブルにおいて、認識した電話端末の内線番号に対応する状態を、「会議中（留守番モード）」から、「空き」を変更登録する（ステップＳ２０５）。そして、この処理ルーチンを終了する。
【０１１８】
図１６は、図１５の主装置での処理に対応する電話端末５における処理の流れを説明するためのフローチャートである。この例は、電話端末５の制御部５０１が、モード管理部５１２の処理機能をソフトウエア処理機能として実行する場合である。
【０１１９】
すなわち、制御部５０１は、タッチパネル５１８を通じて「会議中」の状態設定入力があったか否か判別し（ステップＳ２１１）、「会議中」の状態設定入力があったと判別したときには、主装置３に「会議中」の状態通知を送信する（ステップＳ２１２）。そして、制御部５０１は、自端末を「会議中モード（留守番モード）」の状態にし（ステップＳ２１３）、この処理ルーチンを終了する。
【０１２０】
また、ステップＳ２１１で、「会議中」の状態設定入力はされていないと判別したときには、制御部５０１は、タッチパネル５１８を通じて「会議中解除」の状態設定入力があったか否か判別し（ステップＳ２１４）、「会議中解除」の状態設定入力がなされていないと判別したときには、その他の処理を行う（ステップＳ２１５）。
【０１２１】
そして、ステップＳ２１４において、「会議中解除」の状態設定入力があったと判別したときには、制御部５０１は、主装置３に「会議中解除」の状態通知を送信する（ステップＳ２１６）。そして、制御部５０１は、自端末の「会議中モード（留守番モード）」を解除し（ステップＳ２１７）、この処理ルーチンを終了する。
【０１２２】
［着信に対する応答の処理動作例］
＜主装置３の処理動作例＞
図１７および図１８は、この第３の実施形態における主装置３での着信処理の動作の流れの例を示すフローチャートである。また、図１９および図２０は、この第３の実施形態における電話端末５での着信処理の動作の流れの例を示すフローチャートである。
【０１２３】
先ず、主装置３での着信処理の動作の流れの例について説明する。この例においては、主装置３の制御部３０１が、受信信号処理部３０４、送信信号処理部３０５、システム電話帳記憶部３０６Ｍを除くシステム電話帳管理部３０６、内線端末管理部３０７、応答メッセージ送出部３０８の各部をソフトウエア処理機能として実行する場合として説明する。
【０１２４】
制御部３０１は、通信ネットワークインターフェース３０２の受信信号を監視して、着信を受信したか否か判別する（ステップＳ３０１）。このステップＳ３０１で、着信の受信を検知しなかったときには、制御部３０１は、その他の処理を行う（ステップＳ３０２）。
【０１２５】
また、ステップＳ３０１で、着信の受信を検知したときには、制御部３０１は、例えばダイヤルインによる電話端末５への個別着信であるか否か判別する（ステップＳ３０３）。ステップＳ３０３で、個別着信ではなく、電話システム全体あるいは複数個の電話端末５が複数グループに分けられていて、その複数グループのうちの一つへの着信であると判別したときには、制御部３０１は、それらのシステム全体に対する着信やグループ単位の着信についての通常の処理を実行する（ステップＳ３０４）。
【０１２６】
そして、ステップＳ３０３で、個別着信であると判別したときには、制御部３０１は、着信先の内線の電話端末５については、会議中モード（留守番モード）であるか否か判別し（ステップＳ３０５）、会議中モード（留守番モード）でないと判別したときには、個別着信についての通常の処理を実行する（ステップＳ３０６）。
【０１２７】
ステップＳ３０５で、着信先の電話端末５が会議中モード（留守番モード）の状態であると判別したときには、制御部３０１は、システム電話帳記憶部３０６Ｍのシステム電話帳データを検索し（ステップＳ３０７）、着信の発信者のデータが存在するか否か、すなわち、発信者はシステム電話帳に登録されているか否か判別する（ステップＳ３０８）。
【０１２８】
このステップＳ３０８で、発信者がシステム電話帳に登録されていないと判別したときには、制御部３０１は、電話端末５に着信通知をすることなく、着信に対して自動応答して主装置３と着信の発信者側との間の通話路を生成し（ステップＳ３０９）、拒否応答メッセージ送出部３０８から応答種別の「拒否」の応答メッセージを送出させて、生成した通話路を通じて発信者に送信する（ステップＳ３１０）。そして、制御部３０１は、生成した通話路を切断する処理をし（ステップＳ３１１）、この処理ルーチンを終了する。
【０１２９】
ステップＳ３０８で、発信者がシステム電話帳に登録されていると判別したときには、制御部３０１は、発信者の電話番号を含む着信通知を着信先の電話端末５に通知する（図１８のステップＳ３２１）。次いで、制御部３０１は、システム電話帳記憶部３０６Ｍから発信者認識情報（例えば名前）を読み出して、着信先の電話端末５に通知する（ステップＳ３２２）。
【０１３０】
次に、制御部３０１は、着信先の電話端末５から着信応答通知を受信するのを待ち（ステップＳ３２３）、このステップＳ３２３で、着信応答通知の受信を判別したら、着信の相手に対して応答通知を送って、電話端末５と着信の発信者側との間の通話路を生成する（ステップＳ３２４）。そして、制御部３０１は、発信者側からの切断通知を待ち（ステップＳ３２５）、発信者側からの切断通知を確認したら、電話端末５に切断通知をすると共に、生成した通話路を切断する処理をし（ステップＳ３２６）、この処理ルーチンを終了する。
【０１３１】
＜電話端末５の処理動作例＞
次に、電話端末５での着信処理の動作の流れの例について図１９および図２０のフローチャートを参照して説明する。この例は、電話端末５の制御部５０１が、受信信号処理部５０３、送信信号処理部５０４、表示情報生成部５０８、応答メッセージ記憶部５１０Ｍを除く応答メッセージ送出部５１０、モード管理部５１２の各機能部を、ソフトウエア処理機能として構成する場合の例である。
【０１３２】
制御部５０１は、無線ＬＡＮインターフェース５０２を通じて得た受信信号を監視して、主装置３からの着信通知を受信したか否か判別する（ステップＳ３３１）。このステップＳ３３１で、着信通知を受信していないと判別したときには、制御部５０１は、その他の処理を行う（ステップＳ３３２）。また、ステップＳ３３１で、着信通知を受信したと判別したときには、制御部５０１は、着信音を発したり、マナーモードであればバイブレータにより振動させたりして、使用者に対する着信の報知を実行する（ステップＳ３３３）。
【０１３３】
次に、制御部５０１は、電話端末５が会議中モード（留守番モード）であるか否か判別し（ステップＳ３３４）、会議中モード（留守番モード）でなければ、通常の着信処理ルーチンを実行する（ステップＳ３３５）。
【０１３４】
ステップＳ３３４で、電話端末５が会議中モード（留守番モード）であると判別したときには、制御部５０１は、ディスプレイ５１７の表示画面に、着信通知に含まれる電話番号と主装置３から送られてくる発信者認識情報とを用いて生成した表示情報による着信時発信者表示１２０を表示すると共に、使用者が選択可能な複数の応答種別のフォルダのアイコン１２１〜１２３を表示する（ステップＳ３３６）。
【０１３５】
次に、制御部５０１は、使用者によるフォルダのアイコン１２１〜１２３のいずれかを選択指定する操作があったか否か判別する（ステップＳ３３７）。このステップＳ３３７で、フォルダのアイコン１２１〜１２３のいずれかを選択指定する操作がなされたと判別したときには、制御部５０１は、着信応答を主装置３に通知し（ステップＳ３３８）、選択指定された応答種別の応答メッセージを、応答メッセージ記憶部５１０Ｍから読み出して、主装置３により生成された通話路を通じて着信の発信者に送信する（ステップＳ３３９）。
【０１３６】
次に、制御部５０１は、着信に対して送出された応答メッセージの応答種別は、「用件録音」であるか否か判別する（図２０のステップＳ３５１）。このステップＳ３５１で、「用件録音」であると判別したときには、制御部５０１は、通話路を通じて送られてくる着信の発信者からの音声メッセージの録音処理を実行して、音声メッセージを「用件録音」のフォルダの着信リストに対応付けて記憶する（ステップＳ３５２）。次に制御部５０１は、主装置３からの切断通知を受信したか否か判別し（ステップＳ３５３）、受信していなければ、ステップＳ３５２に戻って着信の発信者からの音声メッセージの録音処理を継続する。そして、ステップＳ３５３で、切断通知を受信したと判別したときには、切断処理を実行し（ステップＳ３５４）、この処理ルーチンを終了する。
【０１３７】
また、ステップＳ３５１で、「用件録音」ではないと判別したときには、制御部５０１は、応答メッセージの送出完了後、切断処理を実行し（ステップＳ３５４）、この処理ルーチンを終了する。
【０１３８】
また、ステップＳ３３７で、フォルダのアイコン１２１〜１２３のいずれかを選択指定する操作がなされていないと判別したときには、制御部５０１は、予め定められた所定時間が経過したか否か判別する（ステップＳ３４０）。ここで、この所定時間は、使用者が着信に応答しない、あるいは応答できないことを確認できる程度の時間とされ、例えば１０秒程度とされる。
【０１３９】
ステップＳ３４０で、所定時間が経過していないと判別したときには、制御部５０１は、処理をステップＳ３３７に戻してこのステップＳ３３７以降の処理を繰り返す。また、ステップＳ３４０で、所定時間が経過したと判別したときには、制御部５０１は、着信の自動応答を主装置３に送り（ステップＳ３４１）、応答メッセージ記憶部５１０Ｍから応答種別「拒否」の応答メッセージを読み出して、主装置３により生成される通話路を通じて着信の相手方に送信する（ステップＳ３４２）。そして、制御部５０１は、応答メッセージの送出完了後、切断処理を実行し（ステップＳ３４３）、この処理ルーチンを終了する。
【０１４０】
次に、図２１のシーケンス図を参照しながら、第３の実施形態における具体的な着信応答処理例を説明する。
【０１４１】
先ず、使用者は、自分の電話端末例えば電話端末５１に対してタッチパネル５１８を通じて「会議中」の状態設定入力操作を行う。すると、この「会議中」の状態設定入力を受けた電話端末５１は、「会議中モード（留守番モード）」になると共に、主装置３に「会議中」の状態通知を送る。すると、主装置３は、内線端末管理テーブルにおいて、当該電話端末５１の状態を「会議中モード（留守番モード）」にする。
【０１４２】
そして、前半の図２１（Ａ）のシーケンス例は、上記の状態において、システム電話帳に電話番号「０９０８８８８９９９９」として登録されている佐藤次郎氏からの着信を主装置３が受けた場合である。
【０１４３】
すなわち、主装置３は、佐藤次郎氏からの着信を受けると、その着信時の発電話番号によりシステム電話帳データを検索して、着信の発信者がシステム電話帳に登録されていることを検出すると共に、発信者認識情報として佐藤次郎氏の名前を検出する。そして、主装置３は、着信の宛先の電話番号から、着信の宛先が電話端末５１であることを検出すると共に、内線端末管理テーブルを参照して、電話端末５１が「会議中モード（留守番モード）」であることを認識する。
【０１４４】
そして、主装置３は、着信の発信者がシステム電話帳に登録されていることから、その着信通知を、その宛先である電話端末５１に通知する。また、主装置３は、システム電話帳から検出した発信者認識情報として佐藤次郎氏の名前を電話端末５１に通知する。
【０１４５】
主装置３からの通知を受けた電話端末５１では、ディスプレイ５１７の表示画面に、発電話番号と佐藤次郎氏の名前とからなる着信時発信者表示１２０を表示すると共に、使用者が選択可能な複数の応答種別のフォルダのアイコン１２１〜１２３を表示する。そして、電話端末５１では、予め定めた所定時間（ステップＳ３４０参照）の計測を開始する。
【０１４６】
図２１（Ａ）の例では、前記所定時間の間に、電話端末５１の使用者は、ディスプレイ５１７の表示画面のタッチパネル５１８において、指を着信時発信者表示１２０から「用件録音」のフォルダのアイコン１２３にスライド移動させて、着信を「用件録音」のフォルダに格納する操作をする。
【０１４７】
すると、電話端末５１は、前記フォルダの選択操作に基づき、自動応答の通知を主装置３に送る。主装置３は、自動応答の通知を受けて、着信の発信者側に応答通知を送って電話端末５１と着信の発信者側との間の通話路を生成する。その後、電話端末５１は、応答メッセージ記憶部５１０Ｍから応答種別「用件録音」に対応する応答メッセージを読み出して、生成された通話路を通じて着信をしてきた佐藤次郎氏の電話端末宛に送信する。
【０１４８】
そして、電話端末５１は、生成された通話路を通じて送られてくる佐藤次郎氏からの音声メッセージを録音して、「用件録音」のフォルダの当該佐藤次郎氏の着信に対応付けて、その録音メッセージを保持する。そして、主装置３は、佐藤次郎氏からの切断通知を受け取ると、当該切断通知を電話端末５１に送って通話路を切断して、この着信シーケンスを終了する。
【０１４９】
次に、後半の図２１（Ｂ）の場合のシーケンス例について説明する。この例も、電話端末５１が「会議中モード（留守番モード）」になっていて、主装置３は、内線端末管理テーブルにおいて、当該電話端末５１の状態を「会議中モード（留守番モード）」にしていることが前提である。この前提において、図２１（Ｂ）の例は、システム電話帳に登録されていない電話番号の発信者Ａから、電話端末５１宛ての着信があった場合である。
【０１５０】
この図２１（Ｂ）の例の場合においては、主装置３は、着信を受けると、その着信時の発電話番号によりシステム電話帳データを検索して、着信の発信者Ａがシステム電話帳に登録されていないことを認識する。そして、主装置３は、着信の宛先の電話番号から、着信の宛先が電話端末５１であることを検出すると共に、内線端末管理テーブルを参照して、電話端末５１が「会議中モード（留守番モード）」であることを認識する。
【０１５１】
そして、主装置３は、着信の宛先の電話端末５１が「会議中モード（留守番モード）」であり、且つ、着信の発信者Ａがシステム電話帳に登録されていないことに基づいて、当該着信を電話端末５１に通知することはしない。そして、主装置３は、着信の発信者Ａの電話端末に対して自動応答して主装置３と着信の発信者Ａとの間の通話路を生成し、拒否応答メッセージ送出部３０８から、応答種別「拒否」の応答メッセージを読み出して、生成した通話路を通じて発信者Ａ側に送信する。そして、主装置３は、通話路を切断する処理を行う。
【０１５２】
以上のようにして、この第３の実施形態の電話システムにおいても、電話端末５の使用者は、着信の発信者を着信時発信者表示１２０により確認しながら、そのときの状況や要望に応じた着信応答方法で着信応答することができる。
【０１５３】
そして、この第３の実施形態の場合には、システム電話帳に着信の発信者が登録されていないときには、「会議中モード（留守番モード）」に設定されている電話端末５には、着信通知をすることなく、主装置３が自動応答して、応答メッセージを送出するようにしている。このため、会議中モード（留守番モード）に設定している電話端末５の使用者は、システム電話帳に登録されていない、特段重要でない発信者からの着信通知により煩わされることがない。
【０１５４】
また、上述の第３の実施形態においては、主装置３のみがシステム電話帳を備え、着信時の発信者認識情報を各電話端末５に通知するようにしているので、電話端末５のそれぞれは電話帳を備える必要がない。
【０１５５】
［第３の実施形態の変形例］
なお、上述の第３の実施形態では、「会議中モード（留守番モード）」に設定されている電話端末５に着信があったときに、使用者が、所定時間、応答種別の選択の操作をしなかったときには、電話端末５が自動応答して、応答種別「拒否」の応答メッセージを送出するようにした。しかし、主装置３が、電話端末５に代わって、「会議中モード（留守番モード）」に設定されている電話端末５に着信通知した後の時間経過を計測して、所定時間の経過を確認したら、自動応答して、応答種別「拒否」の応答メッセージを送出するようにしても良い。
【０１５６】
また、着信時の発信者認識情報は、主装置３が各電話端末５に通知するようにしたが、電話端末５のそれぞれが電話帳を備えることで、着信通知に含まれる発電話番号に基づいて、電話端末５のそれぞれが発信者認識情報を取得し、着信時発信者表示を行うようにすることもできる。
【０１５７】
また、上述の第３の実施形態の例は、電話端末５として、上述した留守番モードを有する第１の実施形態の電話端末１を用いた場合に相当する。しかし、第３の実施形態は、会議中モード（留守番モード）を有しない第２の実施形態の電話端末２の機能を、電話端末５に適用するように構成することもできる。
【０１５８】
そのように構成した場合には、電話端末５から主装置３への会議中の状態通知は不要であり、主装置３は、電話端末５について「会議中モード（留守番モード）」であるか否かを管理する必要はない。また、その場合には、主装置３は、システム電話帳に登録されていない発信者からの着信であっても、全て電話端末５に着信通知をする必要があるので、システム電話帳に着信の発信者が登録されているかどうかに応じて電話端末５に着信を通知するかどうかを判定する機能手段を備える必要はない。また、その場合には、電話端末５から、着信の発信者に対して全ての応答メッセージを送出するようにするので、主装置３は、拒否応答メッセージの送出機能手段を備える必要はない。
【０１５９】
さらに、第３の実施形態は、前述した留守番モードをも有する第２の実施形態の電話端末２を、電話端末５とするようにしても良い。その場合には、電話端末５を留守番モードで使用するときは、上述の第３の実施形態の説明と同様の処理動作となる。
【０１６０】
［第４の実施形態］
上述の第３の実施形態では、電話端末５のそれぞれが応答メッセージ記憶部５１１Ｍを有する応答メッセージ送出部５１０を備え、電話端末５から応答メッセージを着信してきた発信者に送信するようにした。また、上述の第３の実施形態では、電話端末５のそれぞれが、応答種別「用件録音」で応答メッセージを送出したことに対応して送られてくる相手からのメッセージを録音して保持するようにしている。そのため、複数の電話端末５のそれぞれが、重複して応答メッセージ送出部５１０や用件録音機能および用件録音用の記憶部を備える必要があり、コスト高となる。
【０１６１】
第４の実施形態は、この問題点を解決した第３の実施形態の電話システムの改良実施形態である。すなわち、図示は省略するが、第４の実施形態の電話システムにおいては、主装置３´は、図１１のハードウエア構成に加えて、応答メッセージ記憶部を有する応答メッセージ送出部を備えると共に、用件録音機能および用件録音用の記憶部を備える。また、この第４の実施形態の電話端末５´は、図１４のハードウエア構成において、応答メッセージ送出５１０（留守録音機能を含む）を削除したものとなる。なお、用件録音用の記憶部は、内線の電話端末５´のそれぞれ毎の留守番録音フォルダを備えていて、各電話端末５´毎にメッセージを記憶するようにする。
【０１６２】
次に、この第４の実施形態における主装置３および電話端末５´の処理動作について説明する。先ず、主装置３の着信処理動作について説明する。
【０１６３】
この第４の実施形態においても、システム電話帳に登録されていない発信者からの着信についての処理は、第３の実施形態について図１７に示したフローチャートと全く同一であるので、ここではその説明は省略する。この第４の実施形態では、図１７のステップＳ３０８で、着信の発信者がシステム電話帳に登録されていると制御部３０１が判断した場合の処理が、第３の実施形態と異なり、図２２に示すような処理例となる。
【０１６４】
すなわち、図１７のステップＳ３０８で、着信の発信者がシステム電話帳に登録されていると判別したときには、制御部３０１は、発信者の電話番号を含む着信通知を着信先の電話端末５´に通知する（図２２のステップＳ４０１）。次いで、制御部３０１は、システム電話帳記憶部３０６Ｍから発信者認識情報（例えば名前）を読み出して、着信先の電話端末５´に通知する（ステップＳ４０２）。
【０１６５】
次に、制御部３０１は、着信先の電話端末５´から応答種別の選択指定指示を受信したか否か判別し（ステップＳ４０３）、応答種別の選択指定指示を受信してはいないと判別したときには、予め定められた所定時間が経過したか否か判別する（ステップＳ４０４）。このステップＳ４０４で、所定時間が経過してはいないと判別したときには、制御部３０１は、処理をステップＳ４０３に戻し、このステップＳ４０３以降の処理を繰り返す。
【０１６６】
ステップＳ４０４で、所定時間が経過したと判別したときには、制御部３０１は、着信に対して自動応答して主装置３´と着信の発信者側との間の通話路を生成し（ステップＳ４０５）、拒否応答メッセージ送出部３０８から応答種別の「拒否」の応答メッセージを送出させて、生成した通話路を通じて発信者に送信する（ステップＳ４０６）。そして、制御部３０１は、生成した通話路を切断する処理をし（ステップＳ４０７）、この処理ルーチンを終了する。
【０１６７】
また、ステップＳ４０３で、着信先の電話端末５´から応答種別の選択指定指示を受信したと判別したときには、制御部３０１は、着信に対して自動応答して主装置３´と着信の発信者側との間の通話路を生成する（ステップＳ４０８）。そして、制御部３０１は、電話端末５´からの応答種別の選択指定指示により指定された応答メッセージを、応答メッセージ記憶部から読み出して、生成した通話路通じて着信の発信者側に送信する（ステップＳ４０９）。
【０１６８】
次に、制御部３０１は、着信に対して送出された応答メッセージの応答種別は、「用件録音」であるか否か判別する（ステップＳ４１０）。このステップＳ４１０で、「用件録音」であると判別したときには、制御部３０１は、通話路を通じて送られてくる着信の発信者からの音声メッセージの録音処理を実行して、音声メッセージを、着信の識別子と共に、例えば、内線の電話端末５´のそれぞれ毎の留守番録音フォルダに分けて記憶する（ステップＳ４１１）。ここで、着信の識別子は、少なくとも、着信日時、着信の発信者を含むものである。
【０１６９】
次に、制御部３０１は、着信の発信者からの切断通知を受信したか否か判別し（ステップＳ４１２）、受信していなければ、ステップＳ４１１に戻って着信の発信者からの音声メッセージの録音処理を継続する。そして、ステップＳ４１２で、切断通知を受信したと判別したときには、制御部３０１は、生成した通話路の切断処理を実行する（ステップＳ４１３）。そして、制御部３０１は、着信の宛先の電話端末５´には、用件の音声メッセージを録音した旨の通知を送り（ステップＳ４１４）、その後、この処理ルーチンを終了する。
【０１７０】
また、ステップＳ４１０で、「用件録音」ではないと判別したときには、制御部３０１は、応答メッセージの送出完了後、生成した通話路の切断処理を実行し（ステップＳ４０７）、この処理ルーチンを終了する。
【０１７１】
次に、第４の実施形態における電話端末５´の着信処理動作例について、図２３のフローチャートを参照して説明する。この例は、電話端末５´の制御部５０１が、受信信号処理部５０３、送信信号処理部５０４、表示情報生成部５０８、モード管理部５１２の各機能部を、ソフトウエア処理機能として構成する場合の例である。
【０１７２】
この図２３のフローチャートにおいて、ステップＳ４２１からステップＳ４２６までの処理は、図１９のステップＳ３３１からステップＳ３３６までの処理と同一であるので、ここではその説明は省略する。
【０１７３】
この第４の実施形態においては、制御部５０１は、ステップＳ４２６で、着信時発信者表示１２０と、使用者が選択可能な複数の応答種別のフォルダのアイコン１２１〜１２３をディスプレイ５１７の表示画面に表示した後、使用者によるフォルダのアイコン１２１〜１２３のいずれかを選択指定する操作があったか否か判別する（ステップＳ４２７）。このステップＳ４２７で、フォルダのアイコン１２１〜１２３のいずれかを選択指定する操作がなされたと判別したときには、制御部５０１は、選択指定された応答種別の選択指定指示を主装置３に通知する（ステップＳ４２８）。
【０１７４】
次に、制御部５０１は、主装置３´からの切断通知の受信を待ち（ステップＳ４２９）、切断通知の受信を確認したら、切断処理を実行し（ステップＳ４３０）、この処理ルーチンを終了する。
【０１７５】
また、制御部５０１は、ステップＳ４２７で、フォルダのアイコン１２１〜１２３のいずれかを選択指定する操作がなされていないと判別したときには、主装置３´からの切断通知を受信したか否か判別し（ステップＳ４３１）、切断通知を受信してはいないと判別したときには、処理をステップＳ４２７に戻し、このステップＳ４２７以降の処理を繰り返す。そして、ステップＳ４３１で、主装置３´から切断通知を受信したと判別したときには、制御部５０１は、切断処理をし（ステップＳ４３２）、この処理ルーチンを終了する。
【０１７６】
なお、使用者により選択指定された応答種別が「用件録音」であったときには、当該電話端末５´には、主装置３´から、前述したように、用件の音声メッセージを録音した旨の通知が送られてくる。この通知を受信した電話端末５´は、ディスプレイ５１７の表示画面において、録音されたメッセージがある旨の表示をして、使用者に留守録音通知をする。
【０１７７】
使用者が、この表示画面のタッチパネル５１８を通じて、録音されたメッセージの再生を指示する操作をすると、電話端末５´は、自端末の内線番号を含む録音メッセージ再生依頼を、主装置３´に送る。
【０１７８】
主装置３´は、この録音メッセージ再生依頼を受け取ると、依頼してきた電話端末５´に対応する留守番録音フォルダに記憶されている録音メッセージを、依頼してきた電話端末５´に送るようにする。なお、この際、主装置３は、録音メッセージ一覧を最初に電話端末５´に送り、電話端末５´から、そのうちの一つの録音メッセージの指定情報を得たら、その指定された録音メッセージを、電話端末５´に送信するようにする。主装置３´は、電話端末５´からの過去の録音メッセージ再生依頼に基づき、録音メッセージ一覧には、再生済みかどうかのマークを付すようにすることができる。
【０１７９】
次に、図２４のシーケンス図を参照しながら、第４の実施形態における具体的な着信応答処理例を説明する。この図２４のシーケンス例においては、図２１のシーケンス例と同様に、電話端末５１´は、「会議中モード（留守番モード）」に設定されていると共に、主装置３´は、電話端末５１´からの「会議中」の状態通知に基づき、内線端末管理テーブルにおいて、当該電話端末５１´の状態を「会議中モード（留守番モード）」にしている。
【０１８０】
そして、この図２４のシーケンス例においても、図２１の例と同様に、システム電話帳に電話番号「０９０８８８８９９９９」として登録されている佐藤次郎氏からの着信を主装置３´が受けた場合である。そして、電話端末５１´では、着信を「用件録音」のフォルダに格納する選択指定操作をする。
【０１８１】
この第４の実施形態の場合には、電話端末５１´は、前記フォルダの選択指定操作に基づき、応答種別の選択指定指示、この例では、「用件録音」の選択指定指示、を主装置３´に送る。
【０１８２】
主装置３´は、この応答種別の選択指定指示を受けて、着信の発信者側に応答通知を送って主装置３´と着信の発信者側との間の通話路を生成する。その後、主装置３´は、応答メッセージ記憶部から応答種別「用件録音」に対応する応答メッセージを読み出して、生成された通話路を通じて着信をしてきた佐藤次郎氏の電話端末宛に送信する。
【０１８３】
そして、主装置３´は、生成された通話路を通じて送られてくる佐藤次郎氏からの音声メッセージを受信して録音する。そして、その録音メッセージは、電話端末５１´の用件録音フォルダに保持する。そして、主装置３´は、佐藤次郎氏からの切断通知を受け取ると、当該切断通知を電話端末５１´に送って通話路を切断して、この着信シーケンスを終了する。その後、主装置３´は、着信の宛先の電話端末５１´に、用件の音声メッセージを録音した旨の通知（留守録音通知）を送る。
【０１８４】
電話端末５１´では、この留守録音通知に基づく表示をディスプレイ５１７の表示画面に行う。そして、使用者からのタッチパネル５１８を通じた録音メッセージの再生の指示操作を受け付けると、電話端末５１´は、主装置３´に、録音メッセージ再生依頼を送る。主装置３´は、この録音メッセージ再生依頼に基づいて、録音メッセージを電話端末５１´に送る。
【０１８５】
以上のようにして、この第４の実施形態の電話システムにおいても、電話端末５´の使用者は、着信の発信者を着信時発信者表示１２０により確認しながら、そのときの状況や要望に応じた着信応答方法で動的に着信応答することができる。そして、この第４の実施形態の場合には、電話端末５´には、応答メッセージ送出部や録音メッセージの録音機能部および記憶部を設けなくても良いという効果がある。
【０１８６】
［第４の実施形態の変形例］
なお、上述の第４の実施形態では、着信時の発信者認識情報は、主装置３´が各電話端末５´に通知するようにしたが、電話端末５´のそれぞれが電話帳を備えることで、着信通知に含まれる発電話番号に基づいて、電話端末５´のそれぞれが発信者認識情報を取得し、着信時発信者表示を行うようにすることもできる。
【０１８７】
また、上述の第４の実施形態は、電話端末５´として、上述した第１の実施形態の電話端末１を用いた場合に相当する。しかし、第４の実施形態も、第３の実施形態と同様に、会議中モード（留守番モード）を有しない第２の実施形態の電話端末２の機能を、電話端末５´に適用するように構成することもできる。さらには、第４の実施形態も、第３の実施形態と同様に、前述した留守番モードをも有する第２の実施形態の電話端末２の機能を、電話端末５´に適用するように構成しても良い。
【０１８８】
［第５の実施形態］
第５の実施形態は、この発明による電話システムのさらに他の例である。この第５の実施形態の例においても、電話端末は、いわゆるスマートフォンと呼ばれる携帯電話端末と同様の構成を備える。そして、この第５の実施形態では、携帯型の電話端末は、その電源としてのバッテリー（電池）の充電器を通じて、主装置と通信を行うように構成される。そして、この第５の実施形態では、充電器が応答メッセージ送出部を備え、充電器が上述の第４の実施形態と同様に、電話端末からの応答種別の選択指定指示に応じて、応答メッセージを送出するように構成する。
【０１８９】
図２５は、この第５の実施形態の全体のシステム構成の概略を示す図である。この第５の実施形態では、主装置７が通信ネットワーク４に接続されて設けられると共に、この主装置７と、複数個の充電器８１，８２，・・・，８ｎとが、無線ＬＡＮ６を介して通信接続できるように構成されている。
【０１９０】
充電器８１，８２，・・・，８ｎは、携帯型無線電話端末としての電話端末９１，９２，・・・，９ｎのそれぞれ用の充電器であり、予め１：１に対応付けられている。そして、充電器８１，８２，・・・，８ｎと電話端末９１，９２，・・・，９ｎとは、例えばＢｌｕｅｔｏｏｔｈなどを用いた近距離無線通信により、通信接続ができるように構成されている。充電器８１，８２，・・・，８ｎは、主装置７と、対応する電話端末９１，９２，・・・，９ｎとの間の中継転送装置としての機能を有する。
【０１９１】
この例の主装置７は、図１１の主装置３のハードウエア構成において、システム電話帳管理部３０６および拒否応答メッセージ送出部３０８を有しない構成とされている。主装置７の内線端末管理部３０７は、充電器８１，８２，・・・，８ｎと電話端末９１，９２，・・・，９ｎとの対応関係も管理している。したがって、例えば、主装置７は、電話端末９１宛ての着信を受信すると、その着信通知は、対応関係にある充電器８１を通じて、電話端末９１に送るようにする。
【０１９２】
そして、この第５の実施形態では、電話端末９１，９２，・・・，９ｎのそれぞれは、留守番モードを有しない第２の実施形態の電話端末２が適用された構成とされる。ただし、電話端末９１，９２，・・・，９ｎのそれぞれは、図１４の電話端末５のハードウエア構成において、無線ＬＡＮインターフェース５０２の代わりに、対応する充電器８１，８２，・・・，８ｎのそれぞれと無線接続するための無線通信インターフェースを備える。また、電話端末９１，９２，・・・，９ｎのそれぞれは、この例においては、応答メッセージ送出部５１０は備えず、また、着信フォルダ管理部には留守録音メッセージの記憶部は有しない。その代わりに、この例では、電話端末９１，９２，・・・，９ｎのそれぞれは、電話帳記憶部を有する電話帳管理部を備える。
【０１９３】
この例の充電器８１，８２，・・・，８ｎのそれぞれは、一例として、図２６に示すようなハードウエア構成を有する。
【０１９４】
この実施形態の充電器８１，８２，・・・，８ｎのそれぞれは、マイクロコンピュータで構成される制御部８０１を備える。そして、制御部８０１が、システムバス８００を通じて、主装置通信部８０２、端末通信部８０３、受信信号処理部８０４、送信信号処理部８０５、充電回路８０６、端末接続検出回路８０７、応答メッセージ送出部８０８、メッセージ録音部８０９、のそれぞれと接続されている。そして、充電回路８０６および端末接続検出回路８０７に対して、電話端末９１，９２，・・・，９ｎのそれぞれのバッテリー充電端子と接続される充電器コネクタ８１０が接続されている。
【０１９５】
主装置通信部８０２は、無線ＬＡＮ６を通じて主装置７と通信するための無線ＬＡＮインターフェースである。端末通信部８０３は、電話端末９１，９２，・・・，９ｎのそれぞれと近距離無線通信するための通信インターフェースである。受信信号処理部８０４は、主装置７や電話端末９１，９２，・・・，９ｎのそれぞれから受信した信号を解析し、転送する信号は、送信信号処理部８０５に送り、自充電器で処理すべきものは、制御部８０１に送って処理させる。
【０１９６】
送信信号処理部８０５は、主装置７からの信号を電話端末９１，９２，・・・，９ｎのそれぞれに転送するための送信信号を生成し、端末通信部８０３を通じて電話端末９１，９２，・・・，９ｎのそれぞれに送信する。また、送信信号処理部８０５は、電話端末９１，９２，・・・，９ｎのそれぞれからの信号を主装置７に転送するための送信信号を生成し、主装置通信部８０２を通じて主装置７に送信する。
【０１９７】
充電回路８０６は、端末接続検出回路８０７により、充電器コネクタ８１０に電話端末９１，９２，・・・，９ｎのそれぞれが接続されたことを検知されたときに、制御部８０１の制御にしたがって、電話端末９１，９２，・・・，９ｎのそれぞれに対して充電を実行する。
【０１９８】
応答メッセージ送出部８０８は、前述の実施形態と同様に、応答メッセージ記憶部８０８Ｍに、例えば前述の図３に示したような複数の応答種別に応じた応答メッセージを格納している。ただし、この例では、応答時間の情報は記憶されていない。
【０１９９】
そして、応答メッセージ送出部８０８は、後述するように、制御部８０１の制御により、電話端末９１，９２，・・・，９ｎからの応答種別の選択指定指示に従って応答メッセージを読み出して、応答メッセージとして送出する。
【０２００】
メッセージ録音部８０９は、応答種別「用件録音」の応答メッセージを送出したときに、着信の発信者から送られてくる音声メッセージを録音して保持するためのものである。
【０２０１】
［第５の実施形態の着信応答方法の説明］
この第５の実施形態における着信応答方法の例を、図２７のシーケンス例を参照しながら説明する。
【０２０２】
この第５の実施形態においては、主装置７は、特定の電話端末宛の着信を検出すると、その着信の宛先の電話端末９１，９２，・・・，９ｎのいずれかに、充電器８１，８２，・・・，８ｎのそれぞれを通じて着信通知を送る。図２７の例では、着信の宛先は電話端末９１であり、主装置７は充電器８１に着信を転送する。すると、充電器８１の制御部８０１は、着信通知を電話端末９１に送る。
【０２０３】
着信通知を受けた電話端末９１は、前述した図９に示すように、そのディスプレイ５１７の表示画面に、着信時発信者表示１２０を表示すると共に、使用者が選択可能な応答種別のフォルダのアイコン１２１，１２２，１２３および１２５を表示する。
【０２０４】
そして、使用者が、その表示画面において、タッチパネル５１８を通じて、一つの応答種別のフォルダのアイコンを選択すると、着信通知を受けた電話端末９１は、その応答種別の選択指定指示を、対応する充電器８１に送る。
【０２０５】
使用者により選択されたフォルダアイコンが、オフフックアイコン１２５であるときには、電話端末９１は、応答種別「通話」の選択指定指示が充電器８１に送る。充電器８１は、この応答種別「通話」の選択指定指示を受けると、主装置７に対して着信応答を通知する。したがって、主装置７は、充電器８１と着信の発信者側との間の通話路を生成する。したがって、電話端末９１の使用者は、発信者と通話をすることができる。
【０２０６】
一方、図２７の例では、応答種別「用件録音」のフォルダのアイコン１２３が使用者により選択されたので、当該「用件録音」の選択指定指示が、電話端末９１から充電器８１に送られる。
【０２０７】
応答種別の選択指定指示を受信した充電器８１の制御部８０１は、主装置７に着信応答（自動応答）を送る。この着信応答に応じて主装置７は、着信の発信者端末と充電器８１との間に通話路を生成する。
【０２０８】
続いて、充電器８１の制御部８０１は、電話端末９１の使用者により選択指定された応答種別の応答メッセージを、応答メッセージ記憶部８０８Ｍから読み出して、主装置７により生成された通信路を通じて着信の発信者端末に対して送信する。
【０２０９】
図２７の例の場合には、「用件録音」の応答メッセージが着信の発信者に送られるので、着信の発信者からメッセージが送られてくることがある。そこで、充電器８１の制御部８０１は、メッセージ録音部８０９により着信の発信者から送られてくる音声メッセージを録音して記憶保持する。この録音メッセージ情報は、電話番号や発信者認識情報からなる発信者情報と、着信の日時情報と、対応して記憶される。
【０２１０】
そして、充電器８１は主装置７からの切断通知を受けると、この着信シーケンスを終了する。その後、充電器８１は、着信の宛先の電話端末９１に、用件の音声メッセージを録音した旨の通知（留守録音通知）を送る。
【０２１１】
電話端末９１では、この留守録音通知に基づく表示をディスプレイ５１７の表示画面に行う。そして、使用者からのタッチパネル５１８を通じた録音メッセージの再生の指示操作を受け付けると、電話端末９１は、充電器８１に、録音メッセージ再生依頼を送る。充電器８１は、この録音メッセージ再生依頼に基づいて、録音メッセージを電話端末９１に送る。
【０２１２】
以上のようにして、この第５の実施形態の電話システムにおいても、電話端末の使用者は、着信の発信者を着信時発信者表示１２０により確認しながら、そのときの状況や要望に応じた着信応答方法で着信応答することができる。そして、この第５の実施形態の場合には、電話端末には、応答メッセージ送出部や録音メッセージの録音機能部および記憶部を設けなくても良いという効果がある。また、電話端末毎に対応する充電器が応答メッセージを送出すると共に、留守録音メッセージを記憶するようにするので、主装置は、電話端末毎の留守録音メッセージの格納管理をする必要はない。
【０２１３】
［第５の実施形態の変形例］
上述の実施形態では、電話端末９１，９２，・・・，９ｎのそれぞれは、第２の実施形態の電話端末２のように留守番モードを有しない場合であったが、第１の実施形態の電話端末１のように、留守番モードを有する電話端末であっても良い。その場合には、電話端末が留守番モードになるときには、対応する充電器に留守番モードを通知するようにする。充電器は、留守番モードの通知を受けたときにのみ、上述の応答処理を行う。
【０２１４】
また、電話端末９１，９２，・・・，９ｎのそれぞれは、第２の実施形態において留守番モードをも備える電話端末の構成とすることができるのは、上述の実施形態と同様である。
【０２１５】
また、上述の第５の実施形態では、電話端末９１，９２，・・・，９ｎのそれぞれが電話帳を備えて、着信時発信者表示をするようにしたが、第３の実施形態のように、主装置７がシステム電話帳を有し、着信の発信者がシステム電話帳にあるときには、発電話番号と共に発信者認識情報を通知するようにしても良い。
【０２１６】
［他の実施形態および変形例］
なお、上述の実施形態においては、電話端末１，２，５１〜５ｎ，９１〜９ｎは、無線電話端末の場合であるが、この発明における電話端末は、無線電話端末に限られるものではなく、有線の電話端末であってもこの発明は適用可能である。
【０２１７】
また、電話端末１，２，５１〜５ｎ，９１〜９ｎは、機械的なボタン操作部を有さない、いわゆるスマートフォンの構成としたが、特に、そのように構成する必要はなく、ボタン操作部を備える電話端末にも適用可能であることは言うまでもない。したがって、この発明の電話システムは、いわゆるボタン電話システムの構成とすることも、勿論できる。
【０２１８】
また、この発明における電話システムは、ＩＰ（Internet  Protocol）電話システムの構成であっても良く、その場合には、主装置は、ＳＩＰ（Session  Initiation  Protocol）サーバの機能を備えるものとなるものである。
【符号の説明】
【０２１９】
１，２，５１〜５ｎ，９１〜９ｎ…電話端末、３，７…主装置、４…通信ネットワーク、８１〜８ｎ…充電器
【図１】
0005712618.tif 000002
【図２】
0005712618.tif 000003
【図３】
0005712618.tif 000004
【図４】
0005712618.tif 000005
【図５】
0005712618.tif 000006
【図６】
0005712618.tif 000007
【図７】
0005712618.tif 000008
【図８】
0005712618.tif 000009
【図９】
0005712618.tif 000010
【図１０】
0005712618.tif 000011
【図１１】
0005712618.tif 000012
【図１２】
0005712618.tif 000013
【図１３】
0005712618.tif 000014
【図１４】
0005712618.tif 000015
【図１５】
0005712618.tif 000016
【図１６】
0005712618.tif 000017
【図１７】
0005712618.tif 000018
【図１８】
0005712618.tif 000019
【図１９】
0005712618.tif 000020
【図２０】
0005712618.tif 000021
【図２１】
0005712618.tif 000022
【図２２】
0005712618.tif 000023
【図２３】
0005712618.tif 000024
【図２４】
0005712618.tif 000025
【図２５】
0005712618.tif 000026
【図２６】
0005712618.tif 000027
【図２７】
0005712618.tif 000028